(57)【要約】  【課題】  従来から、ユーザが映像コンテンツのチャプター（区間分割）の設定を行い、そのチャプターごとにサムネイル（区間内代表映像）を表示させることができる装置は提案されているが、サムネイル画像の表示だけでは、どれを選択すれば視聴したい映像部分のチャプターを視聴できるかを把握できない場合が多い。  【解決手段】  本発明は、かかる実情に鑑み、映像コンテンツ情報を管理する単位となる区間を示す区間分割情報に基づいて、区間分割マップを生成し、区間内の映像情報を、前記区間分割マップに表示される区間と関連付けて出力可能なチャプター選択機能付情報記録装置である。このように、区間内の映像情報を、区間と関連付けて表示することで、どの区間内映像情報を選択すれば所望の箇所の映像コンテンツを視聴できるかを容易に把握することができる。【選択図】            図２
2006174092.tif 000002
【特許請求の範囲】
【請求項１】
映像コンテンツ情報を取得する映像コンテンツ情報取得部と、
前記映像コンテンツ情報と関連付けて映像コンテンツ情報を管理する単位となる区間を示す区間分割情報を取得する区間分割情報取得部と、
前記区間分割情報に基づいて前記映像コンテンツ情報から区間内の映像情報を取得する区間内映像情報取得部と、
前記区間分割情報に基づいて、区間分割マップを生成する区間分割マップ生成部と、
前記区間内映像情報を、前記区間分割マップに表示される区間と関連付けて出力可能なチャプター選択情報出力部と、
からなるチャプター選択機能付情報記録装置。
【請求項２】
前記チャプター選択情報出力部から出力される複数の前記区間内映像情報から特定の区間内映像情報の選択をするための区間内映像情報選択部と、
前記区間内映像情報選択部にて選択された区間内映像情報に基づいて前記映像コンテンツ情報のうちその区間内映像情報が属する区間内の映像コンテンツ情報である区間映像コンテンツ情報を取得する第一区間映像コンテンツ情報取得部と、
を有する請求項１に記載のチャプター選択機能付情報記録装置
【請求項３】
前記チャプター選択情報出力部から出力される前記区間分割マップから特定の区間部分の選択をするための区間部分選択部と、
前記区間部分選択部にて選択された区間部分に基づいて前記映像コンテンツ情報のうちその区間部分が示す区間内の映像コンテンツ情報である区間映像コンテンツ情報を取得する第二区間映像コンテンツ情報取得部と、
を有する請求項１又は２のいずれか一に記載のチャプター選択機能付情報記録装置
【請求項４】
前記チャプター選択情報出力部は、前記区間内映像情報選択部にて特定の区間内映像情報の選択がされた際に、その選択された区間内映像情報と、その区間内映像情報に関連付けられている区間と、の関連付マークの表示をするための出力をする第一選択時関連付表示出力手段を有する請求項３に記載のチャプター選択機能付情報記録装置。
【請求項５】
前記チャプター選択情報出力部は、前記区間部分選択部にて特定の区間部分の選択がされた際に、その選択された区間部分と、その区間部分の区間内映像情報と、の関連付マークの表示をするための出力をする第二選択時関連付表示出力手段を有する請求項３に記載のチャプター選択機能付情報記録装置。
【請求項６】
前記関連付けマークは、関連付ラインマーク、画像の同色表示、画像の同期点滅、のいずれか一である請求項４又は５に記載のチャプター選択機能付情報記録装置。
【請求項７】
前記チャプター選択情報出力部は、前記区間内映像情報と、前記区間分割マップに表示される区間とに共通の識別情報を出力する共通識別情報出力手段を有する請求項１から６のいずれか一に記載のチャプター選択機能付情報記録装置。
【請求項８】
映像コンテンツ情報を取得する映像コンテンツ情報取得部ステップと、
前記映像コンテンツ情報と関連付けて映像コンテンツ情報を管理する単位となる区間を示す区間分割情報を取得する区間分割情報取得ステップと、
前記区間分割情報に基づいて映像コンテンツ情報から区間内の映像情報を取得する区間内映像情報取得ステップと、
前記区間分割情報に基づいて、区間分割マップを生成する区間分割マップ生成ステップと、
前記区間内映像情報を、前記区間分割マップに表示される区間と関連付けて出力可能とするチャプター選択情報出力ステップと、
を有するチャプター選択機能方法。
【請求項９】
映像コンテンツ情報を取得する映像コンテンツ情報取得部ステップと、
前記映像コンテンツ情報と関連付けて映像コンテンツ情報を管理する単位となる区間を示す区間分割情報を取得する区間分割情報取得ステップと、
前記区間分割情報に基づいて映像コンテンツ情報から区間内の映像情報を取得する区間内映像情報取得ステップと、
前記区間分割情報に基づいて、区間分割マップを生成する区間分割マップ生成ステップと、
前記区間内映像情報を、前記区間分割マップに表示される区間と関連付けて出力可能とするチャプター選択情報出力ステップと、
前記チャプター選択情報出力ステップにて出力される複数の前記区間内映像情報から特定の区間内映像情報の選択をするための処理を行う区間内映像情報選択ステップと、
前記区間内映像情報選択ステップにて選択された区間内映像情報に基づいて前記映像コンテンツ情報のうちその区間内映像情報が属する区間内の映像コンテンツ情報である区間映像コンテンツ情報を取得する第一区間映像コンテンツ情報取得ステップと、
を有するチャプター選択機能方法。
【請求項１０】
映像コンテンツ情報を取得する映像コンテンツ情報取得部ステップと、
前記映像コンテンツ情報と関連付けて映像コンテンツ情報を管理する単位となる区間を示す区間分割情報を取得する区間分割情報取得ステップと、
前記区間分割情報に基づいて映像コンテンツ情報から区間内の映像情報を取得する区間内映像情報取得ステップと、
前記区間分割情報に基づいて、区間分割マップを生成する区間分割マップ生成ステップと、
前記区間内映像情報を、前記区間分割マップに表示される区間と関連付けて出力可能とするチャプター選択情報出力ステップと、
前記チャプター選択情報出力ステップにて出力される前記区間分割マップから特定の区間部分の選択をするための処理を行う区間部分選択ステップと、
前記区間部分選択ステップにて選択された区間部分に基づいて前記映像コンテンツ情報のうちその区間部分が示す区間内の映像コンテンツ情報である区間映像コンテンツ情報を取得する第二区間映像コンテンツ情報取得ステップと、
を有するチャプター選択機能方法。
【発明の詳細な説明】
【技術分野】
【０００１】
本発明は、チャプター選択機能付情報記録装置に関するものである。
【背景技術】
【０００２】
従来から、ユーザが映像コンテンツのチャプター（区間分割）の設定を行い、そのチャプターごとにサムネイル（区間内代表映像）を表示させることができる装置は提案されている。このとき、所望のサムネイル画像にカーソルを合せて選択することで、選択された区間内の映像コンテンツの再生を開始させることができる。（特許文献１参照。）。
【特許文献１】特開２００２−１５２６３６号公報
【発明の開示】
【発明が解決しようとする課題】
【０００３】
しかしながら、上記手法のように、サムネイル画像の表示だけでは、どのサムネイル画像を選択すればユーザが視聴したい映像部分のチャプターを視聴できるかを把握できない場合が多い。
【課題を解決するための手段】
【０００４】
本発明は、かかる実情に鑑み、映像コンテンツ情報を管理する単位となる区間を示す区間分割情報に基づいて、区間分割マップを生成し、区間内の映像情報を、前記区間分割マップに表示される区間と関連付けて出力可能なチャプター選択機能付情報記録装置である。このように、区間内の映像情報を、区間と関連付けて表示可能とすることで、どの区間内映像情報を選択すれば所望の箇所の映像コンテンツを視聴できるかを容易に把握することができる。
【０００５】
また、複数の区間内映像情報から特定の区間内映像情報の選択を行い、選択された区間内映像情報に基づいて映像コンテンツ情報のうちその区間内映像情報が属する区間内の区間映像コンテンツ情報を取得できるとしてもよい。逆に、区間分割マップから特定の区間部分の選択を行い、選択された区間部分に基づいて映像コンテンツ情報のうちその区間部分が示す区間内の区間映像コンテンツ情報を取得できるとしてもよい。取得した区間映像コンテンツ情報を再生等することで、ユーザは所望の部分のみ視聴等することができる。さらに、特定の区間内映像情報の選択、あるいは、特定の区間部分の選択がされた際に、その選択された区間内映像情報と、その区間内映像情報に関連付けられている区間と、の関連付マークの表示をすることができる。また、区間内映像情報と、区間分割マップに表示される区間とに共通の識別情報を出力することができる。
【発明の効果】
【０００６】
以上、説明したように本件発明のいずれか一又は二以上の発明に係るチャプター選択機能付情報記録装置は、区間内の映像情報を、区間と関連付けて表示可能とすることで、どの区間内映像情報を選択すれば所望の箇所の映像コンテンツを視聴できるかを容易に把握することができる。また、複数の区間内映像情報から特定の区間内映像情報を選択可能、出力された複数の区間内映像情報を比較して特定の区間内映像情報の選択を行うことができるため、より的確に所望の区間を判別することができるようになる。逆に、区間分割マップから特定の区間部分の選択可能な場合には、時間の長短や全体における位置から特定の区間部分の選択を行うことができるため、より的確に所望の区間を判別することができるようになる。
【０００７】
さらに、特定の区間内映像情報の選択、あるいは、特定の区間部分の選択がされた際に、その選択された区間内映像情報と、その区間内映像情報に関連付けられている区間と、の関連付マークの表示をする場合には、関連付マークが表示されることで、区間内映像情報と区間部分との対応関係が明らかになり、客観的に把握しやすくなるという利点がある。また、区間内映像情報と、区間分割マップに表示される区間とに共通の識別情報を出力することができる場合には、区間の設定が多く、区間内映像情報が、チャプター選択機能付情報記録装置の表示画面上に表示しきれない場合に、区間内映像情報と、区間の対応関係が明確に把握できるため、便利である。
【発明を実施するための最良の形態】
【０００８】
以下に、各発明を実施するための最良の形態を説明する。なお、本発明はこれら実施の形態に何ら限定されるものではなく、その要旨を逸脱しない範囲において、種々なる態様で実施しうる。
【０００９】
実施形態１は、主に請求項１、８などについて説明する。  実施形態２は、主に請求項２、９などについて説明する。  実施形態３は、主に請求項３、１０などについて説明する。  実施形態４は、主に請求項４などについて説明する。  実施形態５は、主に請求項５などについて説明する。  実施形態６は、主に請求項６、７などについて説明する。
【００１０】
<<実施形態１>>
【００１１】
<実施形態１：概要>  実施形態１について説明する。本実施形態は、映像コンテンツ情報を管理する単位となる区間を示す区間分割情報に基づいて、区間分割マップを生成し、区間内の映像情報を、前記区間分割マップに表示される区間と関連付けて出力可能なチャプター選択機能付情報記録装置である。
【００１２】
図１は、本実施形態の概念の一例を示すものである。本実施形態のチャプター選択機能付情報記録装置は、映像コンテンツ情報の記録、再生が可能な装置である。まず、チャプター選択機能付情報記録装置は、映像コンテンツ情報を取得する（１）。映像コンテンツ情報は、放送局や、放送衛星などから送信される映像・音声信号等の映像コンテンツを構成する情報の他、これに付随する情報（放送局、放送時間、番組内容、ＣＭ情報）などが含まれる場合がある。次に、映像コンテンツ情報と関連付けて映像コンテンツ情報を管理する単位となる区間を示す区間分割情報を取得する（２）。区間分割情報は、具体的には、映像コンテンツを区切るためにユーザが行った操作によって取得される場合や、映像コンテンツ情報に含まれるＣＭ情報に基づいて取得される場合がある。ここでは、先頭から１５分までが１つの区間分割情報として取得されたものとする。その次に、区間分割情報に基づいて映像コンテンツ情報から区間内の映像情報を取得する（３）。区間内映像情報は、区間の先頭の画像や、ユーザ選出の区間を代表する画像などが該当する。さらに、区間分割情報に基づいて、区間分割マップを生成する（４）。区間分割マップは、区間内映像情報に対応する時間表示である区間部分を時系列で並べたものである。区間内映像情報を、区間分割マップに表示される区間と関連付けて出力する（５）。図で示したように、区間内映像情報と、区間部分とが関連付けられて出力される。
【００１３】
<実施形態１：構成>  本実施形態での機能ブロックの一例を図２に示した。  図２に示す本実施形態の「チャプター選択機能付情報記録装置」（０２００）は、「映像コンテンツ情報取得部」（０２０１）と、「区間分割情報取得部」（０２０２）と、「区間内映像情報取得部」（０２０３）と、「区間分割マップ生成部」（０２０４）と、「チャプター選択情報出力部」（０２０５）を有する。
【００１４】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。  具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１５】
「チャプター選択機能付情報記録装置」（０２００）は、映像コンテンツ情報の記録、再生などが可能な装置である。例えば、ハードディスクレコーダー、ＤＶＤレコーダーなどが該当する。その他、パソコン、カメラ、携帯電話などの汎用的な装置にてチャプター選択機能付情報記録装置の機能を実現するとしてもよい。
【００１６】
「映像コンテンツ情報取得部」（０２０１）は、映像コンテンツ情報を取得する。「映像コンテンツ情報」は、放送局や、放送衛星などから送信される映像・音声信号等の映像コンテンツを構成する情報や、これに付随する情報（放送局、放送時間、番組内容、ＣＭ情報）などが該当する。映像コンテンツ情報は、アナログ放送の番組でも、デジタル放送の番組でもよい。
【００１７】
「区間分割情報取得部」（０２０２）は、前記映像コンテンツ情報と関連付けて区間分割情報を取得する。「区間分割情報」は、映像コンテンツ情報を管理する単位となる区間を示す情報である。区間分割情報は、映像コンテンツ情報を区切るためにユーザが行った操作によって取得される場合がある。具体的には、映像コンテンツ情報を再生中に、ユーザが区切りのよいシーンでチャプター選択機能付情報記録装置を操作し映像コンテンツ情報に区切りを挿入することができるとしてもよい。その他、区間分割情報は、映像コンテンツ情報に含まれるＣＭ情報に基づいて取得される場合がある。例えば、ＣＭ情報として、ＣＭの開始時間と終了時間が含まれる場合には、これに基づいてＣＭ中を一の区間、ＣＭ明けから次のＣＭが始まるまでを別の一の区間とする区間分割情報を取得できるとしてもよい。また、一定期間（例えば、１５分ごとなど）ごとを一の区間とする区間分割情報を取得できるとしてもよい。
【００１８】
「区間内映像情報取得部」（０２０３）は、前記区間分割情報に基づいて前記映像コンテンツ情報から区間内映像情報を取得する。「区間内映像情報」は、区間分割情報で分けられた区間内の映像情報であり、区間の先頭の画像や、ユーザ選出の区間を代表する画像などが該当する。
【００１９】
「区間分割マップ生成部」（０２０４）は、前記区間分割情報に基づいて、区間分割マップを生成する。区間分割マップは、区間内映像情報に対応する時間表示である区間部分を時系列で並べたものである。図では、１時間の映像コンテンツ情報が４等分されている区間分割マップを示したが、もちろんこれに限定されるものではない。
【００２０】
「チャプター選択情報出力部」（０２０５）は、前記区間内映像情報を、前記区間分割マップに表示される区間と関連付けて出力可能とする。図で示したように、区間内映像情報と、区間部分とが関連付けられて出力されることで、ユーザが映像コンテンツを区間ごとに選択することが容易になる。
【００２１】
<実施形態１：処理の流れ>  図３は、実施形態１での処理の流れの一例を示したものである。まず、映像コンテンツ情報を取得する（映像コンテンツ情報取得部ステップ  Ｓ０３０１）。次に、映像コンテンツ情報と関連付けて映像コンテンツ情報を管理する単位となる区間を示す区間分割情報を取得する（区間分割情報取得ステップ  Ｓ０３０２）。その次に、区間分割情報に基づいて映像コンテンツ情報から区間内の映像情報を取得する（区間内映像情報取得ステップ  Ｓ０３０３）。さらに、区間分割情報に基づいて、区間分割マップを生成する（区間分割マップ生成ステップ  Ｓ０３０４）。最後に、区間内映像情報を、前記区間分割マップに表示される区間と関連付けて出力可能とする（チャプター選択情報出力ステップ  Ｓ０３０５）。
【００２２】
以上の処理は、計算機に実行させるためのプログラムで実行することができ、また、このプログラムを計算機によって読取り可能な記録媒体に記録することができる。（本明細書の全体を通して同様である。）
【００２３】
<実施形態１：効果>  本実施形態は、映像コンテンツ情報を管理する単位となる区間を示す区間分割情報に基づいて、区間分割マップを生成し、区間内の映像情報を、前記区間分割マップに表示される区間と関連付けて出力可能なチャプター選択機能付情報記録装置である。従来のサムネイル画像の表示は必ずしも区間の映像コンテンツを代表した表示ではないことが多く、このような場合ユーザは視聴したい区間を的確に選択することが困難であるといえる。しかし、本実施形態のチャプター選択機能付情報記録装置においては、区間内の映像情報を、区間と関連付けて表示可能とすることで、どの区間内映像情報を選択すれば所望の箇所の映像コンテンツを視聴できるかを容易に把握することができる。つまり、区間内映像情報（サムネイル画像）のみでなく、映像コンテンツ全体における当該区間の占める位置などを手がかりとして、所望の箇所の映像コンテンツを探すことができることになり、便利である。
【００２４】
<<実施形態２>>
【００２５】
<実施形態２：概要>  実施形態２について説明する。本実施形態は、複数の区間内映像情報から特定の区間内映像情報の選択を行い、選択された区間内映像情報に基づいて映像コンテンツ情報のうちその区間内映像情報が属する区間内の区間映像コンテンツ情報を取得することに特徴を有するチャプター選択機能付情報記録装置である。
【００２６】
<実施形態２：構成>  本実施形態での機能ブロックの一例を図４に示した。  図４に示す本実施形態の「チャプター選択機能付情報記録装置」（０４００）は、「映像コンテンツ情報取得部」（０４０１）と、「区間分割情報取得部」（０４０２）と、「区間内映像情報取得部」（０４０３）と、「区間分割マップ生成部」（０４０４）と、「チャプター選択情報出力部」（０４０５）と、さらに、「区間内映像情報選択部」（０４０６）と、「第一区間映像コンテンツ情報取得部」（０４０７）を有する。
【００２７】
「区間内映像情報選択部」（０４０６）は、前記チャプター選択情報出力部（０４０５）から出力される複数の前記区間内映像情報から特定の区間内映像情報の選択をするための処理を行う。図５は、区間分割マップの一例を示したものである。複数の区間内映像情報が左から右へと時系列順に配置され、区間内映像情報の下には時間を表すバーを示した。映像コンテンツ情報が複数の区間に分割されている場合、バーには区間ごとにその占める時間に対応する幅に区分されている。図で示したように、複数の区間内映像情報が並んでいる場合に、チャプター選択機能付情報記録装置や付属のリモコンなどを操作しカーソルなどを用いて特定の区間内映像情報の選択ができる。
【００２８】
「第一区間映像コンテンツ情報取得部」（０４０７）は、前記区間内映像情報選択部（０４０６）にて選択された区間内映像情報に基づいて区間映像コンテンツ情報を取得する。「区間映像コンテンツ情報」は、前記映像コンテンツ情報のうちその区間内映像情報が属する区間内の映像コンテンツ情報である。例えば、区間内映像情報と関連付けて区間（時間）情報と、区間映像コンテンツ情報のテーブルなどが予め用意されており、特定の区間内映像情報の選択によって、これに対応する区間映像コンテンツ情報が取得できる。図５で示した場面で、「手紙を書くシーン」の区間内映像情報が選択されたとすると、この区間内映像情報が属する区間である先頭から１５分から３０分までの映像コンテンツ情報が区間映像コンテンツ情報として取得される。取得された区間映像コンテンツ情報は、ユーザの操作に基づく処理（例えば、再生、削除など）の対象となる。
【００２９】
その他各部の処理については、実施形態１と同様である。
【００３０】
<実施形態２：処理の流れ>  図６は、実施形態２での処理の流れの一例を示したものである。まず、映像コンテンツ情報を取得する（映像コンテンツ情報取得部ステップ  Ｓ０６０１）。次に、映像コンテンツ情報と関連付けて映像コンテンツ情報を管理する単位となる区間を示す区間分割情報を取得する（区間分割情報取得ステップ  Ｓ０６０２）。その次に、区間分割情報に基づいて映像コンテンツ情報から区間内の映像情報を取得する（区間内映像情報取得ステップ  Ｓ０６０３）。さらに、区間分割情報に基づいて、区間分割マップを生成する（区間分割マップ生成ステップ  Ｓ０６０４）。次に、区間内映像情報を、前記区間分割マップに表示される区間と関連付けて出力可能とする（チャプター選択情報出力ステップ  Ｓ０６０５）。ここまでは、実施形態１と同様である。さらに、前記チャプター選択情報出力ステップ（Ｓ０６０５）にて出力される複数の前記区間内映像情報から特定の区間内映像情報の選択をするための処理を行う（区間内映像情報選択ステップ  Ｓ０６０６）。最後に、前記区間内映像情報選択ステップ（Ｓ０６０６）にて選択された区間内映像情報に基づいて前記映像コンテンツ情報のうちその区間内映像情報が属する区間内の映像コンテンツ情報である区間映像コンテンツ情報を取得する（第一区間映像コンテンツ情報取得ステップ  Ｓ０６０７）。
【００３１】
<実施形態２：効果>  本実施形態は、複数の区間内映像情報から特定の区間内映像情報の選択を行い、選択された区間内映像情報に基づいて映像コンテンツ情報のうちその区間内映像情報が属する区間内の区間映像コンテンツ情報を取得することに特徴を有するチャプター選択機能付情報記録装置である。出力された複数の区間内映像情報を比較して特定の区間内映像情報の選択を行うことができるため、より的確に所望の区間を判別することができるようになる。
【００３２】
<<実施形態３>>
【００３３】
<実施形態３：概要>  実施形態３について説明する。本実施形態は、区間分割マップから特定の区間部分の選択を行い、選択された区間部分に基づいて映像コンテンツ情報のうちその区間部分が示す区間内の区間映像コンテンツ情報を取得することに特徴を有するチャプター選択機能付情報記録装置である。
【００３４】
<実施形態３：構成>  本実施形態での機能ブロックの一例を図７に示した。  図７に示す本実施形態の「チャプター選択機能付情報記録装置」（０７００）は、「映像コンテンツ情報取得部」（０７０１）と、「区間分割情報取得部」（０７０２）と、「区間内映像情報取得部」（０７０３）と、「区間分割マップ生成部」（０７０４）と、「チャプター選択情報出力部」（０７０５）と、さらに、「区間部分選択部」（０７０６）と、「第二区間映像コンテンツ情報取得部」（０７０７）を有する。図７で示す機能ブロックは、実施形態１を基本としたものであるが、実施形態２を基本とする場合には、他の構成要件として「区間内映像情報選択部」と、「第一区間映像コンテンツ情報取得部」とが必要となる。
【００３５】
「区間部分選択部」（０７０６）は、前記チャプター選択情報出力部（０７０５）から出力される前記区間分割マップから特定の区間部分の選択をするための処理を行う。図８では、区間分割マップの一例を示したものである。図で示したように、区間分割マップとして時間などの情報が並列している場合に、チャプター選択機能付情報記録装置や付属のリモコンなどを操作しカーソルなどを用いて特定の区間部分の選択をできる。
【００３６】
「第二区間映像コンテンツ情報取得部」（０７０７）は、前記区間部分選択部（０７０６）にて選択された区間部分に基づいて区間映像コンテンツ情報を取得する。「区間映像コンテンツ情報」は、前記映像コンテンツ情報のうちその区間部分が示す区間内の映像コンテンツ情報である。図８で示した場面で、先頭から１５分から３０分までの区間部分が選択されたとすると、この区間部分が示す区間内の映像コンテンツ情報が区間映像コンテンツ情報として取得される。取得された区間映像コンテンツ情報は、ユーザの操作に基づく処理（例えば、再生、削除など）の対象となる。
【００３７】
その他各部の処理については、実施形態１、２と同様である。
【００３８】
<実施形態３：処理の流れ>  図９は、実施形態９での処理の流れの一例を示したものである。まず、映像コンテンツ情報を取得する（映像コンテンツ情報取得部ステップ  Ｓ０９０１）。次に、映像コンテンツ情報と関連付けて映像コンテンツ情報を管理する単位となる区間を示す区間分割情報を取得する（区間分割情報取得ステップ  Ｓ０９０２）。その次に、区間分割情報に基づいて映像コンテンツ情報から区間内の映像情報を取得する（区間内映像情報取得ステップ  Ｓ０９０３）。さらに、区間分割情報に基づいて、区間分割マップを生成する（区間分割マップ生成ステップ  Ｓ０９０４）。次に、区間内映像情報を、前記区間分割マップに表示される区間と関連付けて出力可能とする（チャプター選択情報出力ステップ  Ｓ０９０５）。ここまでは、実施形態１と同様である。さらに、前記チャプター選択情報出力ステップ（Ｓ０９０５）にて出力される前記区間分割マップから特定の区間部分の選択をするための処理を行う（区間部分選択ステップ  Ｓ０９０６）。最後に、前記区間部分選択ステップ（Ｓ０９０６）にて選択された区間部分に基づいて前記映像コンテンツ情報のうちその区間部分が示す区間内の映像コンテンツ情報である区間映像コンテンツ情報を取得する（第二区間映像コンテンツ情報取得ステップ  Ｓ０９０７）。なお、図９で示す処理の流れは、実施形態１を基本としたものであるが、実施形態２を基本とする場合には、「区間内映像情報選択ステップ」と、「第一区間映像コンテンツ情報取得ステップ」とが必要となる。
【００３９】
<実施形態３：効果>  本実施形態は、区間分割マップから特定の区間部分の選択を行い、選択された区間部分に基づいて映像コンテンツ情報のうちその区間部分が示す区間内の区間映像コンテンツ情報を取得することに特徴を有するチャプター選択機能付情報記録装置である。出力された区間分割マップにおいて、時間の長短や全体における位置から特定の区間部分の選択を行うことができるため、より的確に所望の区間を判別することができるようになる。
【００４０】
<<実施形態４>>
【００４１】
<実施形態４：概要>  実施形態４について説明する。本実施形態は、特定の区間内映像情報の選択がされた際に、その選択された区間内映像情報と、その区間内映像情報に関連付けられている区間と、の関連付マークの表示をすることに特徴を有するチャプター選択機能付情報記録装置である。
【００４２】
<実施形態４：構成>  本実施形態での機能ブロックの一例を図１０に示した。  図１０に示す本実施形態の「チャプター選択機能付情報記録装置」（１０００）は、「映像コンテンツ情報取得部」（１００１）と、「区間分割情報取得部」（１００２）と、「区間内映像情報取得部」（１００３）と、「区間分割マップ生成部」（１００４）と、「チャプター選択情報出力部」（１００５）と、「区間内映像情報選択部」（１００６）と、「第一区間映像コンテンツ情報取得部」（１００７）を有し、さらに、チャプター選択情報出力部（１００５）は「第一選択時関連付表示出力手段」（１００８）を有する。
【００４３】
「第一選択時関連付表示出力手段」（１００８）は、前記区間内映像情報選択部（１００６）にて特定の区間内映像情報の選択がされた際に、その選択された区間内映像情報と、その区間内映像情報に関連付けられている区間と、の関連付マークの表示をするための出力をする。関連付けマークは、関連付を示すラインマーク、画像の同色表示、画像の同期点滅などが該当する。図１１では、関連付マークの表示を含む区間分割マップの一例を示したものである。図では、「手紙を書くシーン」の区間内映像情報が選択された場合において、区間内映像情報と、区間分割マップのうちこの区間内映像情報に関連付けられている区間である先頭から１５分から３０分までの部分とが、関連付を示すラインマークで繋がれることで関連付マークの表示が行われる場面を示した。
【００４４】
その他各部の処理については、実施形態２と同様である。
【００４５】
<実施形態４：効果>  本実施形態は、特定の区間内映像情報の選択がされた際に、その選択された区間内映像情報と、その区間内映像情報に関連付けられている区間と、の関連付マークの表示をすることに特徴を有するチャプター選択機能付情報記録装置である。関連付マークが表示されることで、区間内映像情報と区間部分との対応関係が明らかになり、客観的に把握しやすくなるという利点がある。
【００４６】
<<実施形態５>>
【００４７】
<実施形態５：概要>  実施形態５について説明する。本実施形態は、特定の区間部分の選択がされた際に、その選択された区間部分と、その区間部分の区間内映像情報と、の関連付マークの表示をすることに特徴を有するチャプター選択機能付情報記録装置である。
【００４８】
<実施形態５：構成>  本実施形態での機能ブロックの一例を図１２に示した。  図１２に示す本実施形態の「チャプター選択機能付情報記録装置」（１２００）は、「映像コンテンツ情報取得部」（１２０１）と、「区間分割情報取得部」（１２０２）と、「区間内映像情報取得部」（１２０３）と、「区間分割マップ生成部」（１２０４）と、「チャプター選択情報出力部」（１２０５）と、「区間部分選択部」（１２０６）と、「第二区間映像コンテンツ情報取得部」（１２０７）を有し、さらに、チャプター選択情報出力部（１２０５）は「第二選択時関連付表示出力手段」（１２０８）を有する。図１２で示す機能ブロックは、実施形態１、３を基本としたものであるが、その他の実施形態を基本とする場合には、他の構成要件が必要となる場合もある。
【００４９】
「第二選択時関連付表示出力手段」（１２０８）は、前記区間部分選択部（１２０６）にて特定の区間部分の選択がされた際に、その選択された区間部分と、その区間部分の区間内映像情報と、の関連付マークの表示をするための出力をする。関連付けマークは、関連付を示すラインマーク、画像の同色表示、画像の同期点滅などが該当する。図１３では、関連付マークの表示を含む区間分割マップの一例を示したものである。図では、先頭から１５分から３０分までの区間部分が選択された場合において、区間部分と、この区間部分の区間内映像情報である「手紙を書くシーン」の区間内映像情報とが、同期点滅をすることで関連付マークの表示が行われる場面を示した。
と、この区間部分が示す区間内の映像コンテンツ情報が区間映像コンテンツ情報として取得される。取得された区間映像コンテンツ情報は、ユーザの操作に基づく処理（例えば、再生、削除など）の対象となる
【００５０】
その他各部の処理については、実施形態３と同様である。
【００５１】
<実施形態５：効果>  本実施形態は、特定の区間部分の選択がされた際に、その選択された区間部分と、その区間部分の区間内映像情報と、の関連付マークの表示をすることに特徴を有するチャプター選択機能付情報記録装置である。関連付マークが表示されることで、区間内映像情報と区間部分との対応関係が明らかになり、客観的に把握しやすくなるという利点がある。
【００５２】
<<実施形態６>>
【００５３】
<実施形態６：概要>  実施形態６について説明する。本実施形態は、区間内映像情報と、区間分割マップに表示される区間とに共通の識別情報を出力することに特徴を有するチャプター選択機能付情報記録装置である。
【００５４】
<実施形態６：構成>  本実施形態での機能ブロックの一例を図１４に示した。  図１４に示す本実施形態の「チャプター選択機能付情報記録装置」（１４００）は、「映像コンテンツ情報取得部」（１４０１）と、「区間分割情報取得部」（１４０２）と、「区間内映像情報取得部」（１４０３）と、「区間分割マップ生成部」（１４０４）と、「チャプター選択情報出力部」（１４０５）と、さらに、チャプター選択情報出力部（１４０５）は「共通識別情報出力手段」（１４０６）を有する。図１４で示す機能ブロックは、実施形態１を基本としたものであるが、その他の実施形態を基本とする場合には、他の構成要件が必要となる場合もある。
【００５５】
「共通識別情報出力手段」（１４０６）は、前記区間内映像情報と、前記区間分割マップに表示される区間とに共通の識別情報を出力する。共通の識別情報は、映像コンテンツ情報の先頭から区間ごとに割り当てた通し番号などが該当する。区間の設定が多く、区間内映像情報が、チャプター選択機能付情報記録装置の表示画面上に表示しきれない場合などに便利である。図１５で示した例では、「１」の識別情報が割り当てられた区間内映像情報は、表示画面内に表示しきれない状態であるが、区間分割マップの区間の情報と共通に割り当てられた識別情報を対比することで、その位置関係を的確に把握することができる。
【００５６】
その他各部の処理については、実施形態１から６と同様である。
【００５７】
<実施形態６：効果>  本実施形態は、区間内映像情報と、区間分割マップに表示される区間とに共通の識別情報を出力することに特徴を有するチャプター選択機能付情報記録装置である。区間の設定が多く、区間内映像情報が、チャプター選択機能付情報記録装置の表示画面上に表示しきれない場合に、区間内映像情報と、区間の対応関係が明確に把握できるため、便利である。
【図面の簡単な説明】
【００５８】
【図１】実施形態１を説明するための概念図
【図２】実施形態１を説明するための機能ブロック図
【図３】実施形態１の処理の流れを説明する図
【図４】実施形態２を説明するための機能ブロック図
【図５】実施形態２における区間分割マップの一例を示した図
【図６】実施形態２の処理の流れを説明する図
【図７】実施形態３を説明するための機能ブロック図
【図８】実施形態３における区間分割マップの一例を示した図
【図９】実施形態３の処理の流れを説明する図
【図１０】実施形態４の処理の流れを説明する図
【図１１】実施形態４における区間分割マップの一例を示した図
【図１２】実施形態５を説明するための機能ブロック図
【図１３】実施形態５における区間分割マップの一例を示した図
【図１４】実施形態７を説明するための機能ブロック図
【図１５】実施形態７における区間分割マップの一例を示した図
【符号の説明】
【００５９】
０２００    チャプター選択機能付情報記録装置
０２０１    映像コンテンツ情報取得部
０２０２    区間分割情報取得部
０２０３    区間内映像情報取得部
０２０４    区間分割マップ生成部
０２０５    チャプター選択情報出力部
【図１】
2006174092.tif 000003
【図２】
2006174092.tif 000004
【図３】
2006174092.tif 000005
【図４】
2006174092.tif 000006
【図５】
2006174092.tif 000007
【図６】
2006174092.tif 000008
【図７】
2006174092.tif 000009
【図８】
2006174092.tif 000010
【図９】
2006174092.tif 000011
【図１０】
2006174092.tif 000012
【図１１】
2006174092.tif 000013
【図１２】
2006174092.tif 000014
【図１３】
2006174092.tif 000015
【図１４】
2006174092.tif 000016
【図１５】
2006174092.tif 000017